【手続補正書】
【提出日】平成29年8月10日(2017.8.10)
【手続補正１】
【補正対象書類名】明細書
【補正対象項目名】００７８
【補正方法】変更
【補正の内容】
【００７８】
本開示の様々な実施形態及び実現形態が開示される。開示される実施形態は例示の目的で示されるものであり、限定を目的とするものではない。上記の実現形態及び他の実現形態が以下の「特許請求の範囲」の範囲内に含まれる。当業者であれば、本開示が開示されたもの以外の実施形態及び実現形態により実施されうる点は認識されるであろう。当業者であれば、本発明の基礎をなす原理から逸脱することなく、上記の実施形態及び実現形態の詳細に多くの変更を行うことができる点は認識されるであろう。本発明は、本明細書に記載される例示的な実施形態及び実施例によって不当に限定されるものではない点、また、かかる実施例及び実施形態はあくまで例示を目的として示されるものにすぎないのであって、本発明の範囲は本明細書において以下に記載する「特許請求の範囲」によってのみ限定されるものである点は理解されるべきである。更に、本開示に対する様々な改変及び変形が、本開示の趣旨及び範囲から逸脱することなく当業者にとって明らかとなろう。したがって、本出願の範囲は、以下の特許請求の範囲によってのみ定められるべきものである。本発明の実施態様の一部を以下の項目［１］−［５３］に記載する。
［１］
再帰反射性物品であって、
結晶性本体層と、
複数の個別の切頭キューブコーナー素子と、
前記本体層と前記キューブコーナー素子との間の実質的に非晶質のポリマー層と、を備える、再帰反射性物品。
［２］
前記本体層が、少なくとも１７５０ＭＰａの弾性率を有する、項目１に記載の再帰反射性物品。
［３］
前記本体層が、少なくとも２０００ＭＰａの弾性率を有する、項目１又は２に記載の再帰反射性物品。
［４］
前記本体層が、少なくとも２５００ＭＰａの弾性率を有する、項目１〜３のいずれかに記載の再帰反射性物品。
［５］
前記本体層が、ポリエチレン、ポリプロピレン、ポリテトラフルオロエチレン（ＰＴＦＥ）、又はナイロンのうちの少なくとも１つを含む、項目１〜４のいずれかに記載の再帰反射性物品。
［６］
前記本体層が二軸配向され、かつポリエチレン、ポリプロピレン、ＰＥＴ（ポリエチレンテレフタレート）、ポリテトラフルオロエチレン（ＰＴＦＥ）、又はナイロンのうちの少なくとも１つを含む、項目１〜５のいずれかに記載の再帰反射性物品。
［７］
前記本体層が、約２０μｍ〜約１０００μｍの厚さを有する、項目１〜６のいずれかに記載の再帰反射性物品。
［８］
前記個別の切頭キューブコーナー素子が、約１．８ミル（４５μｍ）〜約２．５ミル（６３．５μｍ）の平均高さを有する、項目１〜７のいずれかに記載の再帰反射性物品。
［９］
前記実質的に非晶質のポリマー層が、１７５０ＭＰａよりも低い弾性率を有する、項目１〜８のいずれかに記載の再帰反射性物品。
［１０］
前記ポリマー層が、１５００ＭＰａよりも低い弾性率を有する、項目１〜９のいずれかに記載の再帰反射性物品。
［１１］
前記ポリマー層が、１３００ＭＰａよりも低い弾性率を有する、項目１〜１０のいずれかに記載の再帰反射性物品。
［１２］
前記ポリマー層が、１１００ＭＰａよりも低い弾性率を有する、項目１〜１１のいずれかに記載の再帰反射性物品。
［１３］
前記実質的に非晶質のポリマー層が、ポリ（エチレンテレフタレート）とポリ（エチレンナフタレンジカルボキシレート）との非晶質コポリマー；１，４−シクロヘキサンジメタノールを含むポリ（エチレンテレフタレート）コポリエステル（ＰＥＴＧコポリエステル）；１，４−シクロヘキサンジメタノールを含むポリ（エチレンナフタレンジカルボキシレート）コポリエステル（ＰＥＮコポリエステル）；８０／２０テレフタレート／イソフタレートＣｏＰＥＴ；ポリカーボネート；ポリ（塩化ビニル）；ポリ（エチレン−コ−アクリル酸）；ポリ（エチレン−コ−酢酸ビニル）；ポリカーボネート；ＰＭＭＡ；又は非晶質コポリエステルのうちの少なくとも１つを含む、項目１〜１２のいずれかに記載の再帰反射性物品。
［１４］
前記実質的に非晶質のポリマー層が、約１．０μｍ〜約１００μｍの厚さを有する、項目１〜１３のいずれかに記載の再帰反射性物品。
［１５］
前記実質的に非晶質のポリマー層が、約５μｍ〜７５μｍの厚さを有する、項目１〜１４のいずれかに記載の再帰反射性物品。
［１６］
前記個別の切頭キューブコーナー素子と接触する感圧接着剤層を更に備え、前記感圧接着剤層が、少なくとも１つの個別のバリア層を有する、項目１〜１５のいずれかに記載の再帰反射性物品。
［１７］
前記個別の切頭キューブコーナー素子が、複合キューブコーナー素子である、項目１〜１６のいずれかに記載の再帰反射性物品。
［１８］
前記ポリマー層が、二軸配向されたポリマーを含む、項目１〜１７のいずれかに記載の再帰反射性物品。
［１９］
前記キューブコーナー素子に隣接する正反射層を更に備える、項目１〜１８のいずれかに記載の再帰反射性物品。
［２０］
前記物品が、少なくとも２５０カンデラ／ｌｕｘ／ｍ２の輝度を有する、項目１〜１９のいずれかに記載の再帰反射性物品。
［２１］
前記再帰反射性物品が、再帰反射性シート材、幹線道路標識用物品、街路標識用物品、ナンバープレートのシート材、ナンバープレート、個人向け安全装置、個人向け安全衣類、被視認性物品、車両の警告物品、又はキャンバスのコーティング物品のうちの１つである、項目１〜２０のいずれかに記載の再帰反射性物品。
［２２］
前記ポリマー層が、１５％未満の結晶化度を有する、項目１〜２１のいずれかに記載の再帰反射性物品。
［２３］
前記ポリマー層が、１０％未満の結晶化度を有する、項目１〜２２のいずれかに記載の再帰反射性物品。
［２４］
前記ポリマー層と前記キューブコーナー素子とが、相互に浸透する網目構造を形成する、項目１〜２３のいずれかに記載の再帰反射性物品。
［２５］
前記実質的に非晶質のポリマー層が、約４５℃〜１６０℃の軟化点を有する、項目１〜２４のいずれかに記載の再帰反射性物品。
［２６］
再帰反射性物品を形成する方法であって、
（ａ）本体層と、
（ｂ）実質的に非晶質のポリマーを含むポリマー層と、を有する基材を提供工程と、
前記基材の前記ポリマー層上に複数の個別の切頭キューブコーナー素子をキャスティングする工程と、
得られた再帰反射性物品を硬化させる工程と、を含む、方法。
［２７］
前記複数の個別の切頭キューブコーナー素子上に正反射層を形成する工程を更に含む、項目２６に記載の方法。
［２８］
前記本体層が、少なくとも１７５０ＭＰａの弾性率を有する、項目２６又は２７に記載の方法。
［２９］
前記本体層が、少なくとも２０００ＭＰａの弾性率を有する、項目２６〜２８のいずれかに記載の方法。
［３０］
前記本体層が、少なくとも２５００ＭＰａの弾性率を有する、項目２６〜２９のいずれかに記載の方法。
［３１］
前記本体層が、ポリエチレン、ポリプロピレン、ＰＴＦＥ、又はナイロンのうちの少なくとも１つを含む、項目２６〜３０のいずれかに記載の方法。
［３２］
前記本体層が二軸配向され、かつポリエチレン、ポリプロピレン、ＰＥＴ（ポリエチレンテレフタレート）、ＰＴＦＥ、又はナイロンのうちの少なくとも１つを含む、項目２６〜３１のいずれかに記載の方法。
［３３］
前記本体層が、約２０μｍ〜約１０００μｍの厚さを有する、項目２６〜３２のいずれかに記載の方法。
［３４］
前記個別の切頭キューブコーナー素子が、約１．８ミル（４５μｍ）〜約２．５ミル（６３．５μｍ）の平均高さを有する、項目２６〜３３のいずれかに記載の方法。
［３５］
前記ポリマー層が、１７００ＭＰａよりも低い弾性率を有する、項目２６〜３４のいずれかに記載の方法。
［３６］
前記ポリマー層が、１５００ＭＰａよりも低い弾性率を有する、項目２６〜３５のいずれかに記載の方法。
［３７］
前記ポリマー層が、１３００ＭＰａよりも低い弾性率を有する、項目２６〜３６のいずれかに記載の方法。
［３８］
前記ポリマー層が、１１００ＭＰａよりも低い弾性率を有する、項目２６〜３７のいずれかに記載の方法。
［３９］
前記ポリマー層が、ポリ（エチレンテレフタレート）とポリ（エチレンナフタレンジカルボキシレート）との非晶質コポリマー；１，４−シクロヘキサンジメタノールを含むポリ（エチレンテレフタレート）コポリエステル（ＰＥＴＧコポリエステル）；１，４−シクロヘキサンジメタノールを含むポリ（エチレンナフタレンジカルボキシレート）コポリエステル（ＰＥＮコポリエステル）；８０／２０テレフタレート／イソフタレートＣｏＰＥＴ；ポリカーボネート、ポリ（塩化ビニル）；ポリ（エチレン−コ−アクリル酸）；ポリ（エチレン−コ−酢酸ビニル）；ポリカーボネート；ＰＭＭＡ；又は非晶質コポリエステルのうちの少なくとも１つを含む、項目２６〜３８のいずれかに記載の方法。
［４０］
前記ポリマー層が、約０．２ミル（２０μｍ）〜約４ミル（１０２μｍ）の厚さを有する、項目２６〜３９のいずれかに記載の方法。
［４１］
前記ポリマー層が、約１ミル（２５μｍ）〜約３ミル（７６μｍ）の厚さを有する、項目２６〜４０のいずれかに記載の方法。
［４２］
前記物品が、前記個別の切頭キューブコーナー素子と接触する感圧接着剤層を更に備え、前記感圧接着剤層が、少なくとも１つの個別のバリア層を有する、項目２６〜４１のいずれかに記載の方法。
［４３］
前記個別の切頭キューブコーナー素子が、複合キューブコーナー素子である、項目２６〜４２のいずれかに記載の方法。
［４４］
前記ポリマー層が、二軸配向されたポリマーを含む、項目２６〜４３のいずれかに記載の方法。
［４５］
前記個別の切頭キューブコーナー素子に隣接する正反射層を更に備える、項目２６〜４４のいずれかに記載の方法。
［４６］
前記物品が、少なくとも１０００カンデラ／ｌｕｘ／ｍ２の輝度を有する、項目２６〜４５のいずれかに記載の方法。
［４７］
前記再帰反射性物品が、再帰反射性シート材、幹線道路標識用物品、街路標識用物品、ナンバープレートのシート材、ナンバープレート、個人向け安全装置、個人向け安全衣類、被視認性物品、車両の警告物品、又はキャンバスのコーティング物品のうちの１つである、項目２６〜４６のいずれかに記載の方法。
［４８］
前記ポリマー層が、１５％未満の結晶化度を有する、項目２６〜４７のいずれかに記載の方法。
［４９］
前記ポリマー層が、１０％未満の結晶化度を有する、項目２６〜４８のいずれかに記載の方法。
［５０］
前記ポリマー層と前記キューブコーナー素子とが、相互に浸透する網目構造を形成する、項目２６〜４９のいずれかに記載の方法。
［５１］
前記実質的に非晶質のポリマー層が、約４５℃〜１６０℃の軟化点を有する、項目２６〜５０のいずれかに記載の方法。
［５２］
前記基材の前記本体層とポリマー層とが共押出しされる、項目２６〜５１のいずれかに記載の方法。
［５３］
前記本体層とポリマー層とが、（１）共押出しされたもの、及び（２）二軸配向されてからブローされたもののうちの少なくとも一方である、項目１６〜５２のいずれかに記載の方法。
【手続補正２】
【補正対象書類名】特許請求の範囲
【補正対象項目名】全文
【補正方法】変更
【補正の内容】
【特許請求の範囲】
【請求項１】
再帰反射性物品であって、
結晶性本体層と、
複数の個別の切頭キューブコーナー素子と、
前記本体層と前記キューブコーナー素子との間の実質的に非晶質のポリマー層と、を備える、再帰反射性物品。
【請求項２】
前記本体層が、少なくとも１７５０ＭＰａの弾性率を有する、請求項１に記載の再帰反射性物品。
【請求項３】
前記本体層が、二軸配向され、かつポリエチレン、ポリプロピレン、ＰＥＴ（ポリエチレンテレフタレート）、ポリテトラフルオロエチレン（ＰＴＦＥ）、又はナイロンのうちの少なくとも１つを含み、前記実質的に非晶質のポリマー層が、ポリ（エチレンテレフタレート）とポリ（エチレンナフタレンジカルボキシレート）との非晶質コポリマー；１，４−シクロヘキサンジメタノールを含むポリ（エチレンテレフタレート）コポリエステル（ＰＥＴＧコポリエステル）；１，４−シクロヘキサンジメタノールを含むポリ（エチレンナフタレンジカルボキシレート）コポリエステル（ＰＥＮコポリエステル）；８０／２０テレフタレート／イソフタレートＣｏＰＥＴ；ポリカーボネート；ポリ（塩化ビニル）；ポリ（エチレン−コ−アクリル酸）；ポリ（エチレン−コ−酢酸ビニル）；ポリカーボネート；ＰＭＭＡ；又は非晶質コポリエステルのうちの少なくとも１つを含む、請求項１又は２に記載の再帰反射性物品。
【請求項４】
前記本体層が、約２０μｍ〜約１０００μｍの厚さを有し、前記実質的に非晶質のポリマー層が、約１．０μｍ〜約１００μｍの厚さを有する、請求項１〜３のいずれか一項に記載の再帰反射性物品。
【請求項５】
前記ポリマー層が、１５％未満の結晶化度を有する、請求項１〜４のいずれか一項に記載の再帰反射性物品。
【請求項６】
前記実質的に非晶質のポリマー層が、約４５℃〜１６０℃の軟化点を有する、請求項１〜５のいずれか一項に記載の再帰反射性物品。
【請求項７】
請求項１に記載の再帰反射性物品を形成する方法であって、
（ａ）本体層と、
（ｂ）実質的に非晶質のポリマーを含むポリマー層と、を有する基材を提供する工程と、
前記基材の前記ポリマー層上に複数の個別の切頭キューブコーナー素子をキャスティングする工程と、
得られた再帰反射性物品を硬化させる工程と、を含む、方法。